(57)【要約】      （修正有）【課題】人間が暗闇でも踏段の位置を知覚でき、また犬が安全に昇降することのできる階段装置を提供する。【解決手段】建物内の階段装置において、踏段７を階段の幅方向に最上段から最下段まで大きな人間側ゾーンＰと小さな犬側ゾーンＱとに左右２つのゾーンに分け、人間側ゾーンＰは、手摺等の手触り階段側面感知部材６側とし、犬側ゾーンＱには、犬の滑り防止としてイソプレンゴム製で表面に溝を複数本交差させて形成された島状凸部４を形成した長方体シート１を載置し、人間側ゾーンＰに沿う長方体シート１の一辺に蓄光帯とを設けてある。【選択図】図１
0003143005.tif 000002
【実用新案登録請求の範囲】
【請求項１】
少なくとも一側に手摺等の手触り階段側面感知部材（６）を設けた階段において、踏段（７）を階段の幅方向に最上段から最下段まで左右２つのゾーンに分け、前記感知部材（６）側ゾーンを大きな人間側ゾーン（Ｐ）とし、また他側ゾーンを小さな犬側ゾーン（Ｑ）とし、交差する斜めの並行溝（３）で形成した島状凸部（４）を設けたイソプレンゴム製の長方形シート（１）を、前記犬側ゾーン（Ｑ）の各踏段（７）上に配置すると共に、人間側ゾーン（Ｐ）に沿う長方形シート（１）の一辺に蓄光帯（２）を固着したことを特徴とする犬昇降部付建物内の階段装置。
【考案の詳細な説明】
【技術分野】
【０００１】
本考案は、室内犬が安全に昇降することができ、また人間は夜間消灯状態において手探りで昇降することのできる建物内の階段装置に関するものである。
【背景技術】
【０００２】
室内で飼育されている室内犬が階段を昇降するときに、誤って足を滑らすことがあり、またそれにより股関節を傷めたり、脚を怪我、捻挫や骨折をするという問題がある。
【０００３】
犬の足の滑らし防止を目的にした階段は見あたらない。人の足の滑らし防止を目的としたものとしては、繊維をパイル織りしたマットに蓄光部を備えたマットを設置する階段がある（特許文献１）。
【０００４】
しかし、特許文献１のマットは人間を対象としているためマット表面の汚れや損傷を考慮する必要性が薄いことにより、犬によるマットの表面に汚れや損傷が生じたときに、人のみによる使用に比べ、見栄えが早期に悪くなり、マットの洗浄回数が頻繁になり煩わしいという問題がある。
【０００５】
さらに、天然ゴム製やウレタンゴム製のマットは、階段の踏段に載置するだけで滑りにくいが、犬に対して悪臭を有するので犬が嫌い、また合成樹脂製のマットは底面の摩擦抵抗力が小さいので階段の踏段に載置するだけでは踏段から滑って落下するという問題がある。
【特許文献１】実用新案登録第３０８３８６６号
【考案の開示】
【考案が解決しようとする課題】
【０００６】
本考案は、室内犬が、階段を昇降するときに定められたゾーンを嫌がらずに昇降し、脚の踏み外しがない安全な階段装置を提供することを課題とする。また、夜間消灯状態でも、人間が手探りで昇降することのできる階段装置を提供しようとするものである。
【課題を解決するための手段】
【０００７】
図１乃至図３を参照して説明する。請求項１に係る犬昇降部付建物内の階段装置の考案は、少なくとも一側に手摺等の手触階段側面感知部材６を設けた階段において、踏段７の幅方向を最上段から最下段まで左右２つのゾーンに分け、前記感知部材６側ゾーンを大きな人間側ゾーンＰとし、また他側ゾーンを小さな犬側ゾーンＱとし、交差する斜めの並行溝３で形成した島状凸部４を設けたイソプレンゴム製の長方形シート１を、前記犬側ゾーンＱの各踏段７上に配置すると共に、人間側ゾーンＰに沿う長方形シート１の一辺に蓄光帯２を設けたことを特徴とする。
【考案の効果】
【０００８】
請求項１に記載の犬昇降部付建物内の階段装置は、人間は感知部材６側の長方形シート１の無い部分の人間側ゾーンＰを、片手で感知部材６を感知し、また蓄光帯２の発光を見て足元を確認しながら、夜間消灯していても手探りで確実に昇降することができる。
【０００９】
また、イソプレンゴムは摩擦抵抗が大きく、長方形シートの裏面を平坦にしていても既存の踏段７上に置くだけで、踏段７上で滑って移動することがない。
【００１０】
さらに、室内犬は足を滑らせて股を傷めることがあるが、長方形シート１の表面の島状凸部４は、室内犬が足を滑らせ股を傷めることがない。
【００１１】
長方形シート１の材質であるイソプレンゴムは、ゴムの中でも臭いがきつくなく、犬が苦手としない臭いであるため、室内犬は長方形シート１上を移動することを嫌がらない。
【００１２】
長方形シート１の材質がイソプレンゴムであるため、簡単に水洗いでき、短時間で乾くため、犬昇降部付建物内の階段の清潔さの維持が容易である。
【考案を実施するための最良の形態】
【００１３】
本考案に係る犬昇降部付建物内の階段装置を、図１乃至図３に示す。本考案に係る犬昇降部付建物内の階段は、踏段７の幅方向を最上段から最下段まで、大きな人間側ゾーンＰと小さな犬側ゾーンＱとに幅方向で左右２つのゾーンに分け、手摺等の手触り階段側面感知部材６側ゾーンを人間側ゾーンＰとし、また他側ゾーンを犬側ゾーンＱとしている。
【００１４】
犬側ゾーンＱには、長方形シート１が載置され、該長方形シート１の材質はイソプレンゴムで、該長方形シート１の表面には交差する斜めの並行溝３により形成された島状凸部４を設けている。
【００１５】
該島状凸部４を設けた長方形シート１の表面形状は、深さ０．２〜０．４ｍｍの溝３で形成した・・・例えば平面図がダイヤ型の菱形・三角形・四角形・円錐形等の・・・島状凸部４を、１．８ｃｍ２当たり２５〜３５個形成したものである。各溝３は、傾斜状の傾斜面３ａと略水平状の底面３ｂとで形成される。
【００１６】
長方形シート１の人間側ゾーンに沿う側の一辺上を、塩素系のポリマーで所定時間を置いて２回塗布して清浄処理すると共に、蓄光帯２の下面を塩素系のポリマーで１回塗布浄化処理し、両ポリマーが適当に乾燥した時点で、両者にゴム系の接着剤５を塗布し、適当に乾燥した状態で、長方形シート１上に蓄光帯２を載せ、両者を張り合わせ鉄ローラーで圧着することにより、長方形シートの一辺に蓄光帯２を固着させる。
【００１７】
本考案に係る建物内の階段装置は、犬が足を滑らさず、人間は消灯された夜間に手探りでも昇降できる。
【００１８】
本考案に係る長方形シート１は、イソプレンゴムを混合練りして、意匠彫刻ロールで圧延したり、所要の模様をモールドで作成しプレス成形することにより製作できる。プレス成形の場合は、随意の箇所に文字・柄の表示ができる。
【００１９】
なお、考案を実施するための最良の形態を説明したが、本考案は最良の形態に限定されるものではない。
【図面の簡単な説明】
【００２０】
【図１】本考案に係る建物内の階段装置の一例を示す正面図である。
【図２】図１の要部平面図である。
【図３】図１の要部側面図である。
【図４】図１に示す長方形シート及び蓄光帯の正面図である。
【図５】図４の平面図である。
【図６】図５の一部拡大図である。
【図７】図６のＸ−Ｘ線断面拡大図である。
【符号の説明】
【００２１】
１      長方形シート
２      蓄光帯
３      溝
３ａ    傾斜面
３ｂ    底面
４      島状凸部
５      接着剤
６      感知部材
７      踏段
８      壁
Ｐ      人間側ゾーン
Ｑ      犬側ゾーン
【図１】
0003143005.tif 000003
【図２】
0003143005.tif 000004
【図３】
0003143005.tif 000005
【図４】
0003143005.tif 000006
【図５】
0003143005.tif 000007
【図６】
0003143005.tif 000008
【図７】
0003143005.tif 000009